(57)【要約】【課題】装置下方を通路として使用し、既存の回転飲食台への後付けを可能とする。【解決手段】巡回路１４が設けられてなる回転飲食台において、巡回路１４が複線型搬送路であって、別々の巡回路１４の各端部または同一の巡回路１４の両端部を所定間隔を隔てて直列に配設させ、巡回路１４の両端部間に、上面に逆方向に搬送するコンベア体２０を並列に配し、上部両側にローラ体２２を折畳み自在に配し、上部両側に案内ガイド２４を外方へ延出自在に配してなる連結コンベア１８を、配することにより、連結コンベア１８使用時には各巡回路１４を連結させ一体化した一つの搬送路として使用し、連結コンベア１８使用時にはその下方を、取外し時には別々の巡回路１４の各端部または同一の巡回路１４の両端部間を、通路として使用することを特徴とする。【選択図】            図１
2007125082.tif 000002
【特許請求の範囲】
【請求項１】
基台(12)の上方に商品を巡回搬送させる巡回路(14)が設けられてなる回転飲食台において、
巡回路(14)が、両端部で逆方向に折返されて搬送される複線型搬送路であって、
別々の巡回路(14)の各端部または同一の巡回路(14)の両端部を、所定間隔を隔てて直列に配設させ、
巡回路(14)両端部間に、
上面にそれぞれ逆方向に搬送するコンベア体(20)を並列に配し、上部両側に、巡回路(14)上へまたはコンベア体(20)上へ被搬送物を転動案内させるための被動ローラを複数並設させたローラ体(22)を、折畳み自在に配し、さらに上部両側に、被搬送物を巡回路(14)上へまたは各コンベア体(20)上へ移送案内させるための案内ガイド(24)を、外方へ延出自在に配してなる連結コンベア(18)を、
配することにより、
連結コンベア(18)使用時には各巡回路を連結させ一体化した一つの搬送路として使用し、連結コンベア(18)使用時にはその下方を、取外し時には別々の巡回路(14)の各端部または同一の巡回路(14)の両端部間を、通路として使用することを特徴とする回転飲食台における巡回路連結方法。
【請求項２】
連結コンベア(18)を、巡回路(14)を配した一方の基台(12)側下方へ折畳み自在、かつ基台(12)内に収納自在とし、
連結コンベア(18)未使用時に、折畳み、基台(12)内に収納することを特徴とする請求項１記載の回転飲食台における巡回路連結方法。
【請求項３】
連結コンベア(18)を、その長さ方向に２分割し、巡回路(14)を配した基台(12)下方へ折畳み自在、かつ収納自在とし、
連結コンベア(18)未使用時に、それぞれ折畳み、基台(12)内に収納することを特徴とする請求項１記載の回転飲食台における巡回路連結方法。
【請求項４】
基台(12)の上方に商品を巡回搬送させる巡回路(14)が設けられてなる回転飲食台において、
巡回路(14)が、両端部で逆方向に折返されて搬送される複線型搬送路であって、
別々の巡回路(14)の各端部または同一の巡回路(14)の両端部を、所定間隔を隔てて直列に配設させ、
巡回路(14)両端部間に、
上面にそれぞれ逆方向に搬送するコンベア体(20)を並列に配し、上部両側に、巡回路(14)上へまたはコンベア体(20)上へ被搬送物を転動案内させるための被動ローラを複数並設させたローラ体(22)を、折畳み自在に配し、さらに上部両側に、被搬送物を巡回路(14)上へまたは各コンベア体(20)上へ移送案内させるための案内ガイド(24)を、外方へ延出自在に配してなる連結コンベア(18)を、
配することを特徴とする回転飲食台における巡回路連結装置。
【請求項５】
連結コンベア(18)を、巡回路(14)を配した一方の基台(12)側下方へ折畳み自在、かつ基台(12)内に収納自在とし、
連結コンベア(18)未使用時に、折畳み、基台(12)内に収納することを特徴とする請求項４記載の回転飲食台における巡回路連結装置。
【請求項６】
連結コンベア(18)を、その長さ方向に２分割し、巡回路(14)を配した基台(12)下方へ折畳み自在、かつ収納自在とし、
連結コンベア(18)未使用時に、それぞれ折畳み、基台(12)内に収納することを特徴とする請求項４記載の回転飲食台における巡回路連結装置。
【発明の詳細な説明】
【技術分野】
【０００１】
本発明は、飲食店、主に回転飲食台を設置した飲食店において、１つの巡回路の両端、または直列に配した複数の巡回路の各端部、を連結する巡回路連結方法およびその装置に関するものである。
【背景技術】
【０００２】
従来、飲食店、例えば回転飲食台を設置した飲食店において、商品である寿司は、商品皿上に盛付けて巡回路上を巡回搬送させている。
【０００３】
また、店内の客数が少ない営業時間帯（アイドルタイム）においては、巡回路内に配した短絡コンベアおよび案内ガイドからなる短絡機構を作動させ、巡回路を短絡させ、客数が多い繁忙時間帯には短絡機構を作動させることなく、効率的に商品を提供することが知られている。
【０００４】
この種の短絡・連結装置として、別々の閉塞された搬送路を、各基端側を連接して１つの搬送路とし、その連接部位にそれぞれ案内ガイドを配し、各案内ガイドを開放設置させることにより、別々の搬送路として使用することができ、加えて各搬送路の連接部位に移送ローラーコンベアを２セット配し、別々の搬送路を連結し、一つの搬送路として使用する場合には、各案内ガイドを閉塞させ、移送ローラーコンベアを駆動させ、各搬送路間を移送させて商品を提供していた（例えば特許文献１参照）。
【０００５】
【特許文献１】特開２００３−１００２８号公報（第３−４頁、図１、２、５）
【発明の開示】
【発明が解決しようとする課題】
【０００６】
従来は前記の通り、特許文献１においては、短絡・連結装置が基台上面に組み込まれており、搬送路を短絡させて使用する場合でも、その下方を通路として使用することができなかった。
【０００７】
また、短絡・連結装置が回転飲食台と一体化されており、既存の回転飲食台へは後付けが不可能であった。
【０００８】
本発明は、装置下方を通路として使用することができ、既存の回転飲食台への後付け（付設）をも可能とした回転飲食台における巡回路連結方法および装置を提供することを目的とするものである。
【課題を解決するための手段】
【０００９】
本発明は、基台の上方に商品を巡回搬送させる巡回路が設けられてなる回転飲食台において、巡回路が、両端部で逆方向に折返されて搬送される複線型搬送路であって、別々の巡回路の各端部または同一の巡回路の両端部を、所定間隔を隔てて直列に配設させ、巡回路両端部間に、上面にそれぞれ逆方向に搬送するコンベア体を並列に配し、上部両側に、巡回路上へまたはコンベア体上へ被搬送物を転動案内させるための被動ローラを複数並設させたローラ体を、折畳み自在に配し、さらに上部両側に、被搬送物を巡回路上へまたは各コンベア体上へ移送案内させるための案内ガイドを、外方へ延出自在に配してなる連結コンベアを、配することにより、連結コンベア使用時には各巡回路を連結させ一体化した一つの搬送路として使用し、連結コンベア使用時にはその下方を、取外し時には別々の巡回路の各端部または同一の巡回路の両端部間を、通路として使用することを特徴とするもの、
または、連結コンベアを、巡回路を配した一方の基台側下方へ折畳み自在、かつ基台内に収納自在とし、連結コンベア未使用時に、折畳み、基台内に収納することを特徴とするもの、
または、連結コンベアを、その長さ方向に２分割し、巡回路を配した基台下方へ折畳み自在、かつ収納自在とし、連結コンベア未使用時に、それぞれ折畳み、基台内に収納することを特徴とするものである。
【発明の効果】
【００１０】
本発明に係る回転飲食台における巡回路連結方法およびその装置によれば、別々の巡回路の各端部または同一の巡回路の両端部間に、上面にそれぞれ逆方向に搬送するコンベア体を並列に配し、上部両側に被動ローラを複数並設させたローラ体を、折畳み自在に配し、さらに上部両側に案内ガイドを外方へ延出自在に配してなる連結コンベアを、配してあるため、使用時には案内ガイドの延出、ローラ体の展開設置、コンベア体の駆動により、各巡回路を連結させて一体化した一つの搬送路として使用し、連結コンベア使用時にはその下方を、取外し時には別々の巡回路の各端部間または同一の巡回路の両端部間を通路として使用することができる。
【００１１】
さらに、連結コンベアが巡回路を配した回転飲食台と別体であるため、既存機へも後付けが可能となり、回転飲食台を設置した既存店でも容易に導入することができる。
【００１２】
また、連結コンベアを、巡回路を配した一方の基台側下方へ折畳み、収納させること、さらに連結コンベアをその長さ方向に２分割させることにより、連結コンベア未使用時に折畳み収納し、通路スペースを一層広く確保することができ、通行性が極めて向上する。
【発明を実施するための最良の形態】
【００１３】
装置下方を通路として使用し、既存機への後付け（付設）を可能とする目的を、上面に配したそれぞれ逆方向に搬送するコンベア体と、上部両側に折畳み自在に配したローラ体と、上部両側に延出自在に配した案内ガイドと、からなる連結コンベアにて各巡回路端を連結させることにより、実現させた。
【実施例１】
【００１４】
本発明に係る回転飲食台における巡回路連結装置は、図１〜図５に示すように、以下の構成からなるものである。
【００１５】
本例において、回転飲食台は、平面視略口型の基台１２の上方に、商品、本発明においては寿司を盛付けた商品皿（図示略）を、巡回搬送させる巡回路１４が設けられてなるものである。
【００１６】
巡回路１４は、無端チェーン（図示略）上にクレセント型のプレート１６を多数軸支させてなる搬送路、一般にクレセントコンベアあるいはクレセントチェーンと称されるものであり、本例のクレセントコンベアは、基台１２上部両端（図５において下方中央両端）で逆方向に折返されて搬送する複線型に配してある。
【００１７】
巡回路１４の両端部を所定間隔を隔てて直列に配設させてある。
【００１８】
連結コンベア１８は、この所定間隔を隔てて配設させた巡回路１４の両端部間に配し、両巡回路１４端部を連結させるためのものであり、以下にその構成を詳述する。
【００１９】
上面にそれぞれ逆方向に搬送するコンベア体２０を直列に配してある。
【００２０】
本例において、コンベア体２０はベルトコンベアであり、同一駆動源により逆方向に同期させて駆動させることが望ましい。
【００２１】
上部両側に、巡回路１４上またはコンベア体２０上へ被搬送物である商品皿を転動案内させるための被動ローラを複数並設させたローラ体２２を、折畳み自在に配してある。
【００２２】
本例において、ローラ体２２は巡回路１４側に向けて順次その全長を短尺としてあり、折畳み方向は上方内側である。
【００２３】
さらに、上部に、商品皿を巡回路１４上へまたは各コンベア体２０上へ移送案内させるための案内ガイド２４を、外方（巡回路１４側）へ延出自在に配してある。
【００２４】
本例において、案内ガイド２４は細長平板であり、巡回路１４中央の仕切部２６側へ向けて延出自在とし、この案内ガイド２４により、一方の巡回路１４から他方の巡回路１４側へ、商品皿をそれぞれ移送案内させる。
【００２５】
また、連結コンベア１８は一体型ユニットとしてある。
【００２６】
このため、連結コンベア１８を構成する各部材が、故障または損傷した際には、ユニット毎新しいユニットと交換すればよく、加えて、取外してメンテナンス作業を行うことができ、メンテナンス性に優れている。
【００２７】
なお、図中２８は連結コンベア１８の躯体、３０は基台１２上部に配した巡回路端部側の脱着部位を示す。
【００２８】
本装置を使用して１つの巡回路１４の両端部間を連結する方法を以下に詳述する。
【００２９】
まず、巡回路１４の両端部間に、ローラ体２２、案内ガイド２４を収納させた連結コンベア１８を、移動させる。
【００３０】
次に、両巡回路１４端部側の基台１２の脱着部位３０を取外す。
【００３１】
次に、ローラ体２２を両側の巡回路１４側へ展開設置する。
【００３２】
次に、案内ガイド２４を両側の巡回路１４の仕切部２６へ向けて延出、設置する。
【００３３】
次に、コンベア体２０を駆動させる。
【００３４】
この際、案内ガイド２４の延出完了に応じて、コンベア体２０を搬送制御させることにより、スイッチ等による切換作業および搬送方向確認作業が皆無となるばかりか、連結コンベア設置後直ぐに使用に供することができる。
【００３５】
この形成された経路上を、被搬送物である商品皿が、巡回路１４、連結コンベア１８、次いで巡回路１４へと巡回搬送される。
【００３６】
また、連結コンベア１８の使用、未使用に関係なく、躯体２８により形成された空間部を通路として使用することができる。
【００３７】
また、未使用時に連結コンベア１８を巡回路１４端部間から移動させることにより、巡回路１４両端部間をそのまま通路として使用することができる。
【実施例２】
【００３８】
図６に別の例が示してある。
【００３９】
本例は、実施例１の連結コンベア１８を下方へ折畳み自在、かつ基台１２内に収納自在としたものである。
【００４０】
連結コンベア１８の軌跡上障害となる基台１２を切欠き、さらに連結コンベア１８を収納可能とするため収納スペース３２を形成してある。
【００４１】
本構造により、職人が巡回路１４内の作業スペースへ出入する際には、巡回路１４を連結させている場合は、連結コンベア１８下方を通路として使用し、未使用時には、ローラ体２２を折畳み、案内ガイド２４を収納させた上、連結コンベア１８を折畳むことにより、巡回路１４両端部間を通路として使用することができ、実施例１に比べ通行スペースを一層広く確保することができ、通行性が飛躍的に向上する。
【実施例３】
【００４２】
図７に別の例が示してある。
【００４３】
本例は、実施例２の連結コンベア１８を、その長さ方向に２分割し、それぞれ下方へ折畳み自在、かつ基台１２内に収納自在とし、連結コンベア１８使用時には各連結コンベア１８を連結具（図示略）により連結させる。
【００４４】
各連結コンベア１８の軌跡上障害となる基台１２を切欠き、さらに連結コンベア１８を収納するための収納スペース３２を、各基台１２に形成してある。
【００４５】
本構造により、職人が巡回路１４内の作業スペースへ出入する際には、巡回路１４を連結させている場合は、連結コンベア１８下方を通路として使用し、未使用時には、ローラ体２２を折畳み、案内ガイド２４を収納させた上、連結コンベア１８を折畳むことにより、巡回路１４両端部間を通路として使用する。
【実施例４】
【００４６】
図８に別の例が示してある。
【００４７】
本例は、１つの巡回路を平面視略口型に配するのではなく、平面視略コ字型の巡回路と、平面視直線状の巡回路とを連結させるために使用した例であり、各部構成および作用、効果は実施例１と同様であるため、説明を省略する。
【００４８】
なお、全例において、コンベア体２０はベルトコンベアであるが、ローラーコンベアその他の搬送機構とすることは自由である。
【００４９】
また、案内ガイド２４は、細長平板であるが、丸棒、円弧状、その他の形状とすることは自由である。
【００５０】
また、連結コンベア１８の躯体２８下部にキャスター等の移動手段を配することは自明である。
【００５１】
また、巡回路１４はクレセントチェーンに限定されることはなく、無端チェーン、無端ベルト、その他の搬送機構を採用できることは自明である。
【００５２】
また、巡回路１４の平面形状は、略口型、コ字型に限定されることなく、Ｌ型、Ｅ型、その他の形状とすることは自明である。
【００５３】
また、連結コンベア１８は、巡回路長に応じてその設置数を２個以上に増加させることは自明である。
【００５４】
また、実施例２および３において、連結コンベア１８未使用時に、ローラ体２２、案内ガイド２４を収納して連結コンベア１８を折畳むものであるが、使用時においても、強制的にコンベア体２０の駆動を停止させ、ローラ体２２、案内ガイド２を収納させ、連結コンベア１８を折畳むことにより、通路を広く確保した上で通行することは自明である。
【００５５】
また、商品は寿司に限定されることはなく、例えばデザート類、サラダ、焼き物類、揚げ物類とすることは自由であり、その際には商品皿には商品を収納、盛付けた容器を載せて提供することは自明である。
【００５６】
また、本発明の方法に使用する装置は本例に限定されることはない。
【産業上の利用可能性】
【００５７】
本発明に係る巡回路連結方法および装置は、回転飲食台に限定されることはなく、薬品等を生産する工場の各生産ライン用としても転用することができる。
【図面の簡単な説明】
【００５８】
【図１】本発明に係る巡回路連結装置を配した回転飲食台の要部拡大平面図。
【図２】巡回路連結装置の正面図。
【図３】同、平面図。
【図４】同、使用状態を示す斜視図。
【図５】同、巡回路連結装置を配した回転飲食台全体を示す平面図。
【図６】実施例２を示す正面図。
【図７】実施例３を示す正面図。
【図８】実施例４を示す平面図。
【符号の説明】
【００５９】
１２  基台
１４  巡回路
１８  連結コンベア
２０  コンベア体
２２  ローラ体
２４  案内ガイド
【図１】
2007125082.tif 000003
【図２】
2007125082.tif 000004
【図３】
2007125082.tif 000005
【図４】
2007125082.tif 000006
【図５】
2007125082.tif 000007
【図６】
2007125082.tif 000008
【図７】
2007125082.tif 000009
【図８】
2007125082.tif 000010